(57)【要約】【課題】更新データ量のみを抽出した測定。【解決手段】メインサイト１００からバックアップサイト２００に転送されるバックアップデータの更新データ量のみを測定するシステムであって、表形式の第１段目のデータ欄の第１記録終了セルＡの列番号及び行番号を検出し、次いで第２段目のデータ欄の第２記録終了セルＢの列番号及び行番号を検出し、次いで第１及び第２記録終了セルＡＢの行番号を用いてデータが記録されている段落の間隔Ｎ及び段落数Ｍを算出し、更にデータが記録されているセルの範囲を検出し、この検出したセルの範囲の同一セル位置のデータに対し、前記全転送量データ［イ］と書込数データ［ハ］のセルデータを乗算し、該乗算結果の値を全入出力数データ［ロ］で除算することにより、ワークファイル［ニ］を作成することにより、更新データ量のみを抽出して測定するもの。【選択図】図５
2008192003.tif 000002
【特許請求の範囲】
【請求項１】
サーバを有するメインサイト及びバックアップサイト間の全転送量データと全入出力数データと書込数データとを基にメインサイトとバックアップサイト間の更新データの転送量を更新データ転送量算出プログラムが算出する更新データ転送量算出システムであって、
更新データ転送量算出プログラムが、前記全転送量データのファイルを複写したワークファイルを作成する第１工程と、該作成したワークファイルにおけるデータの記録を最初に開始した基準セルから同一行のデータを記録している最終列セルまで移行し、該最終列セルの最終行に移行することにより第１記録終了セルの列番号及び行番号を検出する第２工程と、前記基準セルから同一列のデータを記録している最終行セルまで移行し、該最終行のセルの最終列に移行することにより第２記録終了セルの列番号及び行番号を検出する第３工程と、前記第１記録終了セルの行番号から第２記録終了セルの行番号を減算することにより、データが記録されている段落の間隔Ｎを算出する第４工程と、前記第１及び第２記録終了セル位置並びに段落間隔Ｎを基に段落数Ｍを算出する第５工程と、前記第１及び第２データ記録終了セル位置並びに段落間隔数Ｎ及び段落数Ｍとを用い、データが記録されているセルの範囲を検出する第６工程と、該第６工程において検出したデータが記録されているセルの範囲の同一セル位置のデータに対し、前記全転送量データと書込数データのセルデータを乗算し、該乗算結果の値を全入出力数データで除算することにより、ワークファイルを作成する第７工程とを実行する更新データ転送量算出システム。
【請求項２】
更新データ転送量算出プログラムが、前記第４工程において、前記基準セルの行番号から項目データを格納したセル数を減算することにより空欄行数を算出し、前記第２記録終了セルの行番号から前記空欄行数を減算した値を前記間隔Ｎで除算することにより、データが記録されている段落数Ｍを算出する請求項１記載の更新データ転送量算出システム。
【請求項３】
更新データ転送量算出プログラムが、前記第５工程において、前記基準セル及び第１記録最終セルの列番号及び行番号の範囲の複数セルと、前記基準セルの行番号と該基準セルの列番号に間隔Ｎの値を加算した列番号のセル及び前記第２記録終了記録セルの列番号及び行番号の範囲の複数セルとを、データが記録されているセルの範囲として検出する請求項１又は２記載の更新データ転送量算出システム。
【請求項４】
各々サーバを有するメインサイト及びバックアップサイト間の全転送量データと全入出力数データと書込数データとを基に、ディスク装置の性能情報取得ツールが取得したメインサイトとバックアップサイト間の更新データの転送量を算出する更新データ転送量算出プログラムであって、
全転送量データのファイルを複写したワークファイルを作成する第１機能と、該作成したワークファイルにおけるデータの記録を最初に開始した基準セルから同一行のデータを記録している最終列セルまで移行し、該最終列セルの最終行に移行することにより第１記録終了セルの列番号及び行番号を検出する第２機能と、前記基準セルから同一列のデータを記録している最終行セルまで移行し、該最終行のセルの最終列に移行することにより第２記録終了セルの列番号及び行番号を検出する第３機能と、前記第１記録終了セルの行番号から第２記録終了セルの行番号を減算することにより、データが記録されている段落の間隔Ｎを算出する第４機能と、前記第１及び第２記録終了セル位置並びに段落間隔Ｎを基に段落数Ｍを算出する第５機能と、前記第１及び第２データ記録終了セル位置並びに段落間隔数Ｎ及び段落数Ｍとを用い、データが記録されているセルの範囲を検出する第６機能と、該第６機能において検出したデータが記録されているセルの範囲の同一セル位置のデータに対し、前記全転送量データと書込数データのセルデータを乗算し、該乗算結果の値を全入出力数データで除算することにより、ワークファイルを作成する第７機能とを実行する更新データ転送量算出プログラム。
【請求項５】
前記第５機能が、前記基準セルの行番号から項目データを格納したセル数を減算することにより空欄行数を算出し、前記第２記録終了セルの行番号から前記空欄行数を減算した値を前記間隔Ｎで除算することにより、データが記録されている段落数Ｍを算出する機能を実行する請求項４記載の更新データ転送量算出プログラム。
【請求項６】
第６機能が、前記基準セル及び第１記録最終セルの列番号及び行番号の範囲の複数セルと、前記基準セルの行番号と該基準セルの列番号に間隔Ｎの値を加算した列番号のセル及び前記第２記録終了記録セルの列番号及び行番号の範囲の複数セルとを、データが記録されているセルの範囲として検出する請求項４又は５記載の更新データ転送量算出プログラム。
【発明の詳細な説明】
【技術分野】
【０００１】
本発明は、コンピュータシステムのデータバックアップ時の更新データの転送量を算出することができる更新データ転送量算出システム及び更新データ転送量算出プログラムに関する。
【背景技術】
【０００２】
近年のコンピュータシステムは、災害時のデータ復旧に備えるためコンピュータシステムの設置場所と離れた地域にデータバックアップ用のシステムを設置することが行われており、このようなシステムはディザスタリカバリシステムと呼ばれている。このディザスタリカバリシステムにおいては、上位のコンピュータシステムからバックアップシステムにどれだけの更新データが転送されるかを監視し、更新データの転送量の増加に応じてシステムを再構築することが重要である。従来技術によるデータの転送量の測定は、ＯＳ（オペレーティングシステム）のデータ入出力を監視するための性能情報取得コマンド、例えば「ｉｏｓｔａｔ」コマンドや、ディスク装置の性能情報取得ツールを使用していた。
【０００３】
尚、前記ディザスタリカバリシステムにおけるデータ転送量を測定に関する技術が記載された文献としては、下記特許文献が挙げられる。
【特許文献１】特開２００５−１９００５７号公報
【特許文献２】特開２００５−１０７８０６号公報
【発明の開示】
【発明が解決しようとする課題】
【０００４】
前述のＯＳの性能情報取得コマンドを使用したデータ転送量の測定は、サブディスク装置に接続された全ての業務サーバ台数分のデータを各業務サーバ単位に測定する必要があり、さらに当該コマンドが必要となる更新データのみのデータ転送量の測定だけに限定できないため、データ量が膨大となり、この膨大なデータからディザスタリカバリシステムにおいて必要とされる全ての業務サーバの更新データ量のみを抽出することが困難であると言う不具合があった。また、ディスク装置の性能情報取得ツールによっては、［イ］全データの転送量のデータ（全データ転送量）と［ロ］全入出力数データ（全Ｉ／Ｏ［入出力］数のデータ）と［ハ］書き込みのデータ（ＷｒｉｔｅＩ／Ｏ［書込］数のデータ）とをＣＳＶ形式で出力することができるものの、ＣＳＶ形式のデータを一般の表計算ソフトで読み込んだ場合、縦横の項目数の制限によって計測データ項目が表中で途中で折り返されるため、前記［イ］〜［ハ］で出力されたデータを単純に比較演算処理することができず、更新データ量のみを算出することが困難であると言う不具合があった。
【０００５】
本発明の目的は、前述の従来技術による不具合を生じることなく、ディザスタリカバリシステムにおいて更新データ量のみを抽出して測定することができる更新データ転送量算出システム及び更新データ転送量算出プログラムを提供することである。
【課題を解決するための手段】
【０００６】
前記目的を達成するため本発明は、サーバを有するメインサイト及びバックアップサイト間の全転送量データと全入出力数データと書込数データとを基にメインサイトとバックアップサイト間の更新データの転送量を更新データ転送量算出プログラムが算出する更新データ転送量算出システムであって、更新データ転送量算出プログラムが、前記全転送量データのファイルを複写したワークファイルを作成する第１工程と、該作成したワークファイルにおけるデータの記録を最初に開始した基準セルから同一行のデータを記録している最終列セルまで移行し、該最終列セルの最終行に移行することにより第１記録終了セルの列番号及び行番号を検出する第２工程と、前記基準セルから同一列のデータを記録している最終行セルまで移行し、該最終行のセルの最終列に移行することにより第２記録終了セルの列番号及び行番号を検出する第３工程と、前記第１記録終了セルの行番号から第２記録終了セルの行番号を減算することにより、データが記録されている段落の間隔Ｎを算出する第４工程と、前記第１及び第２記録終了セル位置並びに段落間隔Ｎを基に段落数Ｍを算出する第５工程と、前記第１及び第２データ記録終了セル位置並びに段落間隔数Ｎ及び段落数Ｍとを用い、データが記録されているセルの範囲を検出する第６工程と、該第６工程において検出したデータが記録されているセルの範囲の同一セル位置のデータに対し、前記全転送量データと書込数データのセルデータを乗算し、該乗算結果の値を全入出力数データで除算することにより、ワークファイルを作成する第７工程とを実行することを第１の特徴とする。
【０００７】
また本発明は、前記特徴の更新データ転送量算出システムにおいて、更新データ転送量算出プログラムが、前記第５工程において、前記基準セルの行番号から項目データを格納したセル数を減算することにより空欄行数を算出し、前記第２記録終了セルの行番号から前記空欄行数を減算した値を前記間隔Ｎで除算することにより、データが記録されている段落数Ｍを算出することを第２の特徴とし、前記何れかの更新データ転送量算出システムにおいて、更新データ転送量算出プログラムが、前記第６工程において、前記基準セル及び第１記録最終セルの列番号及び行番号の範囲の複数セルと、前記基準セルの行番号と該基準セルの列番号に間隔Ｎの値を加算した列番号のセル及び前記第２記録終了記録セルの列番号及び行番号の範囲の複数セルとを、データが記録されているセルの範囲として検出することを第３の特徴とする。
【０００８】
更に本発明は、各々サーバを有するメインサイト及びバックアップサイト間の全転送量データと全入出力数データと書込数データとを基に、ディスク装置の性能情報取得ツールが取得したメインサイトとバックアップサイト間の更新データの転送量を算出する更新データ転送量算出プログラムであって、コンピュータに、全転送量データのファイルを複写したワークファイルを作成する第１機能と、該作成したワークファイルにおけるデータの記録を最初に開始した基準セルから同一行のデータを記録している最終列セルまで移行し、該最終列セルの最終行に移行することにより第１記録終了セルの列番号及び行番号を検出する第２機能と、前記基準セルから同一列のデータを記録している最終行セルまで移行し、該最終行のセルの最終列に移行することにより第２記録終了セルの列番号及び行番号を検出する第３機能と、前記第１記録終了セルの行番号から第２記録終了セルの行番号を減算することにより、データが記録されている段落の間隔Ｎを算出する第４機能と、前記第１及び第２記録終了セル位置並びに段落間隔Ｎを基に段落数Ｍを算出する第５機能と、前記第１及び第２データ記録終了セル位置並びに段落間隔数Ｎ及び段落数Ｍとを用い、データが記録されているセルの範囲を検出する第６機能と、該第６機能において検出したデータが記録されているセルの範囲の同一セル位置のデータに対し、前記全転送量データと書込数データのセルデータを乗算し、該乗算結果の値を全入出力数データで除算することにより、ワークファイルを作成する第７機能とを実行することを第４の特徴とする。
【０００９】
また本発明は、前記特徴の更新データ転送量算出プログラムにおいて、前記第５機能が、コンピュータに、前記基準セルの行番号から項目データを格納したセル数を減算することにより空欄行数を算出し、前記第２記録終了セルの行番号から前記空欄行数を減算した値を前記間隔Ｎで除算することにより、データが記録されている段落数Ｍを算出する機能を実行することを第５の特徴とし、前記何れかの特徴の更新データ転送量算出プログラムにおいて、前記第６機能が、コンピュータに、前記基準セル及び第１記録最終セルの列番号及び行番号の範囲の複数セルと、前記基準セルの行番号と該基準セルの列番号に間隔Ｎの値を加算した列番号のセル及び前記第２記録終了記録セルの列番号及び行番号の範囲の複数セルとを、データが記録されているセルの範囲として検出する機能を実行することを第６の特徴とする。
【発明の効果】
【００１０】
本発明による更新データ転送量算出システム及びプログラムは、前記第２工程により表形式の第１段目のデータ欄の第１記録終了セルの列番号及び行番号を検出し、前記第３工程により第２段目のデータ欄の第２記録終了セルの列番号及び行番号を検出し、次いで前記第３工程により第１及び第２記録終了セルの行番号を用いてデータが記録されている段落の間隔Ｎを算出し、更に第４工程により段落数Ｍを算出し、更に第５工程によりデータが記録されているセルの範囲を検出し、この検出したセルの範囲の同一セル位置のデータに対し、前記全転送量データと書込数データのセルデータを乗算し、該乗算結果の値を全入出力数データで除算することにより、ワークファイルを作成することによって、更新データ量のみを算出することができる。
【発明を実施するための最良の形態】
【００１１】
以下、本発明による更新データ転送量算出プログラムを適用した更新データ転送量算出システムの一実施形態を図面を参照して詳細に説明する。図１は、本実施形態による更新データ転送量算出システムにが適用されるディザスタリカバリシステムを示す図、図２は本実施形態による更新データ転送量算出プログラムの動作を説明するためのフロー図、図３は本実施形態による全転送量データ及び全Ｉ／Ｏ（入出力）数データのファイル例を示す図、図４は本実施形態によるＷｒｉｔｅＩ／Ｏ（書込）数データ及びワークファィル例を示す図、図５は図３及び４に示した原理説明の動作を補足するための図である。
【００１２】
＜構成＞
本実施形態による更新データ転送量算出システムが適用されるディザスタリカバリシステムは、図１に示す如く、大別して各種業務を制御するメインサイト１００と、該メインサイト１００に回線３００を介して接続され、メインサイト１００のデータのバックアップ及びリカバリを行うバックアップサイト２００と、更新データ転送量算出プログラムとから構成される。尚、前記更新データ転送量算出プログラムは、前記何れかのサイトのサーバや別設したコンピュータのプログラムにより構成され、任意のサーバ等に設けられる。また本明細書及び請求項においては、この更新データ転送量算出プログラムを実行する何れかのサーバ他をコンピュータと呼ぶものとする。
【００１３】
前記メインサイト１００は、特定の業務を行う業務サーバ１２０と、他の業務を行う業務サーバ１３と、これら業務サーバ１２０及び１３に接続され、データを記憶するためのサブディスク装置１１０と、該サブディスク装置１１０を外部と接続するための回線装置１４０とを備え、前記バックアップサイト２００は、前記回線３００と接続する回線装置２４０と、該回線装置２４０及び回線３００を介してメインサイト１００のサブディスク装置１１０に記憶された各種データをバックアップ記憶するためのサブディスク装置２１と、該サブディスク装置２１と接続されメインサイト１００の業務サーバ１２０及び１３と同様の機能をもつバックアップサーバ２２０及び２３とを備える。また前記サブディスク装置１１０は、業務サーバ１２０のデータを記憶するための論理的に構築されたデータボリューム１０２と、業務サーバ１３のデータを記憶するための論理的に構築されたデータボリューム１０１を含み、同様に前記サブディスク装置２１は、バックアップサーバ２２０及び２３により制御される複製ボリューム２１１及び２１２とを含む様に構成されている。尚、前記データボリューム及び複製ボリュームの数は例示であって、実際のサイトにおいては数百単位のデータボリュームが構築されている。
【００１４】
この様に構成されたディザスタリカバリシステムは、メインサイト１００が、業務サーバ１２０及び１３を用いて各種業務を行い、その業務に使用した各種データをデータボリューム１０２又は１０１に記憶する様に動作し、バックアップサイト２００が、前記データボリューム１０２及び１０１に記憶したデータを回線３００を介してサブディスク装置２１の複製ボリューム２１１及び２１２にリモートコピーデータ１０１Ａ及び１０２Ａをバックアップする様に動作する。このバックアップは、当初のデータボリューム１０１及び１０２の全データのバックアップを行った後には、前回のバックアップしたデータとの差分データのみを更新する差分データバックアップが行われる。
【００１５】
＜動作＞
さて、本実施形態によるディザスタリカバリシステムは、まず、ディスク装置の性能情報取得ツールを使用し、メインサイト１００とバックアップサイト２００間の全転送量データと全Ｉ／Ｏ（入出力）数データとＷｒｉｔｅＩ／Ｏ（書込）数データとをＣＳＶ形式で出力し、これら３種類のＣＳＶ形式データ（全転送量データをファイル［イ］と呼び、全Ｉ／Ｏ（入出力）数データをファイル［ロ］と呼び、ＷｒｉｔｅＩ／Ｏ（書込）数データをファイル［ハ］と呼ぶこともある）を図２に示す処理フローに従って処理することによって、更新データの転送量を算出する。
【００１６】
前記コマンドにより出力されるファイル［イ］の全データ転送量のＣＳＶデータは、図３（ａ）に示す如く、表計算形式で表した場合、横軸に前記バックアップサイト２００のデータボリューム名（図の例では、Volumeと表記）の項目と、縦軸にデータ転送を行った日時分秒の項目が設定された形式となり、表計算ソフトの縦横項目数に制限があると共に、前記横軸のデータボリューム名項目がその測定対象のサイトのボリューム構成数により増減するために列方向のデータ項目数が測定項目毎に異なり、同様に縦軸の日時分秒項目も測定回数分だけ作成されるため、行方向のデータ項目数も測定システム毎に異なる形で出力される。
【００１７】
このため前記ディスク装置の性能情報取得ツールにより出力されるファイル［イ］そのものは、データを格納したセルを特定できないため、他のＣＳＶ形式のファイル［ロ］及び［ハ］と単純に連結したリレーショナルデータベース等の計算処理を行うことができない。このため本実施形態においては、ファイル［イ］の測定した項目のデータ記録終了点（セル）の検出を行い、複数ファイル間で同一行列番号セル内容を統一する処理を行った後、各ファイルを演算処理することによって、更新データの転送量を算出するものであり、以下、この処理を説明する。
【００１８】
この処理手順は、まず、図２に示す如く、ディスク装置の性能情報取得ツールによって図１に示したメインサイト１００とバックアップサイト２００間における前記３種の全転送量データのファイル［イ］と全Ｉ／Ｏ（入出力）数データのファイル［ロ］とＷｒｉｔｅＩ／Ｏ（書込）数データのファイル［ハ］を得、これらファイルをオープンするステップＳ１０（図５の［ａ］参照）と、この展開した全転送量データのファイル［イ］を複写したワークファイル［ニ］を作成するステップＳ１１と、データ記録開始セルから、同一行のデータ記録最終列セルまで移行し、その列の最終行セルに移行することによって、前記データ記録終了セルＡの列番号及び行番号を検出するステップＳ１２（図５ｃ参照）と、データ記録開始セルから、同一列のデータ記録最終行セルまで移行し、その行の最終列セルに移行することによって、前記データ記録終了セルＢの列番号及び行番号を検出するステップＳ１３（図５ｃ参照）と、前記データ記録終了セルＡの行番号からデータ記録終了セルＢの行番号を減算することにより、データが記録されている段落の間隔Ｎを算出するステップＳ１４（図５ｄ参照）と、前記データ記録終了セルＡ及びＢ並びに段落間隔Ｎを基に段落数Ｍを算出するステップＳ１５（図５ｅ参照）とを実行する。尚、ファイル［ロ］及び［ハ］の全Ｉ／Ｏ（入出力）数データ及びＷｒｉｔｅＩ／Ｏ（書込）数データは、全データ転送量に比べてデータ量が少ないため、ファイル［イ］の様に折り返した形式にはならないものであるが、必要な場合はファイル［イ］同様にデータ記録終了セルを算出しても良い。
【００１９】
ここで前述したステップＳ１２〜１５によるデータ記録終了セルＡの列番号及び行番号の検出とデータ記録終了セルＢの列番号及び行番号の検出と段落の間隔Ｎの算出と段落数Ｍの算出の具体例を図３及び図４を参照して説明する。
【００２０】
この具体例は、データ計測期間を２００６年５月１２日の２０：３０から２０：４０までとし、測定インターバル１分（１分間隔で測定）でボリュームが１３３個（Volume1〜133）のデータを測定した際の全転送量データのファイル［イ］，全Ｉ／Ｏ（入出力）数データのファイル［ロ］，ＷｒｉｔｅＩ／Ｏ（書込）数データのファイル［ハ］を、各々図３（ａ），図３（ｂ），図４（ａ）に示したデータとし、演算結果であるワークファイル［ニ］を図４（ｂ）としたとき、図３（ａ）の如く、データ記録開始セル（基準セル［列３，行８］）から同一行のデータを格納している最終列セル［列ＤＺ，行８］を検出することによって、図５に示した記録終了セルＡ（第１記録最終セル）を検出する工程（ステップＳ１２）と、前記データ記録開始セル［列３，行８］から同一列のデータを格納している最終列セル［列３，行３０］を検出し、このセルから同一行のデータを格納している最終列セル［列Ｇ，行３０］を検出することによって、記録終了セルＢ（第１記録最終セル）を検出する工程（ステップＳ１３）と、これら工程により検出した記録終了セルＢの行番号から記録終了セルＡの行番号を減算（セルＢ行値−セルＡ行値＝３０−１８＝１２）することにより、データが記録されている段落の間隔Ｎ（値１２）を算出する工程（ステップＳ１４）と、前記記録終了セルＢの行番号から該表の空欄行数である値「６」を減算し且つ前記段落の間隔Ｎ（１２）で除算［（セルＢ行値−６）÷段落間隔値Ｎ＝（３０−６）÷１２＝２］することにより、データが記録されている段落数Ｍ（２段）を算出する工程（ステップＳ１５）と、前記各工程により得た値からデータが記録されているセルの範囲を検出（１段目のデータ記録セルの範囲がデータ記録開始点のセル［列３，行８］からＡセル［列ＤＺ，行８］迄と２段目のデータ開始セル［列Ｃ，行２０］からＢセル［列Ｇ，行３０］迄）する工程とを実行することによって行われる。尚、前記ステップＳ１５における表の空欄行数である値「６」は、基準セルの行番号８から２項目分のセル数２を減算することにより算出することや、数値データが格納されている最初のセル位置を検出し、該検出セルの行番号を採用することによって決めることができる。
【００２１】
次いで本システムは、図２に戻り、ファイル［イ］に対して前述のように算出したデータ記録終了セルと該データ記録終了セルから段落間隔数Ｎ及び段落数Ｍとを用い、データが記録されているセルの範囲を検出し、この検出した範囲内において各ファイル［イ］〜［ロ］における同一セル位置のデータを下記数式１を用いて演算することによって、ワークファイル［ニ］を作成する（ステップＳ１６）。尚、前記演算は各ファイルの同一位置のセルのデータを演算するものである。
【００２２】
［数１］
｛ファイル［ニ］の指定セルデータ｝＝｛［イ］の指定セルデータ｝×（｛［ハ］の指定セルデータ｝÷｛［ロ］の指定セルデータ｝）  ・・［数式１］
【００２３】
この演算の具体例は、全転送量データのファイル［イ］，全Ｉ／Ｏ（入出力）数データのファイル［ロ］，ＷｒｉｔｅＩ／Ｏ（書込）数データのファイル［ハ］が図３及び４に示した値であり、演算結果であるワークファイル［ニ］が図４（ｂ）であり、各ファイル［イ］［ロ］［ハ］の同一セル（１０，４）のデータが各々「１５００」／「１５３」／「７０」ＫＢ／ｓの場合、前記数式１によって、｛ファイル［ニ］の指定セルデータ｝＝｛［イ］の指定セルデータ１５００｝×（｛［ハ］の指定セルデータ７０｝÷｛［ロ］の指定セルデータ１５３｝）との計算により、６８６ＫＢ／ｓであることを算出することができ、この算出をデータを格納している全セルを対象として実施することによってワークファイルの更新データの転送量を算出することができる。
【００２４】
次いで本更新データの転送量方法は、前記ステップ１６により算出した更新データ転送量を含むワークファイル［４］のファイル名を別名、例えば「20060512systemＡ更新データ転送量データ」に変更して保存するステップＳ１７と、これらファイルを閉じるステップＳ１８とを実行する。
【００２５】
このように本実施形態によるディザスタリカバリシステムは、ディスク装置の性能情報取得ツールにより得た全データ転送量のＣＳＶ形式のデータ量にデータリードライトの割合をかけることによって、ディザスタリカバリシステムにおいて更新データ量のみを算出することができる。
【図面の簡単な説明】
【００２６】
【図１】本実施形態による更新データ転送量算出システムが適用されるディザスタリカバリシステムを示す図。
【図２】本実施形態による更新データ転送量算出プログラムの動作を説明するためのフロー図。
【図３】本実施形態による全転送量データ及び全入出力数データのファイル例を示す図。
【図４】本実施形態による書込数データ及びワークファィル例を示す図。
【図５】図３に示した原理説明の動作を補足するための図。
【符号の説明】
【００２７】
１３：業務サーバ、２１：サブディスク装置、７０：指定セルデータ、１００：メインサイト、１０１：データボリューム、１０１Ａ：リモートコピーデータ、１０２：データボリューム、１１０：サブディスク装置、１２０：業務サーバ、１４０：回線装置、１５３：指定セルデータ、２００：バックアップサイト、２１１：複製ボリューム、２２０：バックアップサーバ、２４０：回線装置、３００：回線、Ａ：データ記録終了セル、Ｂ：データ記録終了セル、Ｍ：段落数、Ｎ：段落間隔。
【図１】
2008192003.tif 000003
【図２】
2008192003.tif 000004
【図３】
2008192003.tif 000005
【図４】
2008192003.tif 000006
【図５】
2008192003.tif 000007